(57)【要約】   【課題】  扉への取付けのみでアクセス制限のためのＲＦタグによる認証手段を簡単に導入できる扉用ロックハンドル装置を提供する。  【解決手段】  扉Ｄを固定枠体Ｄ１に対してロック・アンロックするラッチ機構を駆動操作する扉用ロックハンドル装置１は、扉Ｄに固着されるハウジング２と、ラッチ機構に連結して、ラッチ機構を駆動操作する操作ハンドル５と、ハウジング２に対して操作ハンドル５を施解錠する電磁ロック部７とを具備する。ハウジング２には電磁ロック部７を一体的に組み込む。電磁ロック部７の認証ユニット１３は、ＲＦタグのデータを読み取り、予め登録したデータと照合し、合致したらその認証信号でソレノイド１２を通電してプランジャー１２ａを移動させる。プランジャー１２ａは受け金部材１０を牽引し、止め金部材１１との係合を解除し、ハウジング２に対する操作ハンドル５の拘束を解除する。【選択図】  図５
2017002607.tif 000002
【特許請求の範囲】
【請求項１】
閉扉位置において扉を固定枠体に対してロック・アンロックするラッチ機構を裏面側に備えた扉に取り付けられ、ラッチ機構をロック位置と非ロック位置に駆動操作するためのロックハンドル装置であって、
前記扉に固着されるハウジングと、
前記ラッチ機構に連結して、ラッチ機構をロック位置と非ロック位置に駆動操作する操作ハンドルと、
使用者が携帯するＲＦタグのデータを読み取って、登録したデータと照合し、一致したら、ソレノイドの通電又は非通電によりプランジャーを変位させ、前記ハウジングに対する操作ハンドルの施錠を解除する電磁ロック部とを具備し、
前記ハウジングには、前記電磁ロック部が一体に組み込まれることを特徴とする扉用ロックハンドル装置。
【請求項２】
前記電磁ロック部は、ＲＦタグのデータを読み取るＲＦタグリーダーと、予め登録したデータと照合し、一致したら認証する認証制御部とを備える認証ユニットと、
前記認証制御部の認証に基づいて、認証制御部により励磁コイルの通電又は非通電状態に制御され、前記プランジャーが動作する前記ソレノイドと、プランジャーに牽引され、施錠位置と解錠位置との間を移動可能な受け金部材と、前記操作ハンドルに連結され、前記受け金部材の施錠位置で係合する一方、解錠位置で係合を解除され、前記ハウジングに対する操作ハンドルの拘束を解除する止め金部材とを備える電磁ロック機構とを具備することを特徴とする請求項１に記載の扉用ロックハンドル装置。
【請求項３】
前記操作ハンドルには、鍵孔に鍵を挿入し、ロータを回転させて、前記受け金部材に対する前記止め金部材の係合を解除する錠前機構部を具備することを特徴とする請求項２に記載の扉用ロックハンドル装置。
【発明の詳細な説明】
【技術分野】
【０００１】
本発明は、各種機器類を収容する機器ボックスなどの固定枠体に対して扉を錠止する扉用ロックハンドル装置に関する。
【背景技術】
【０００２】
従来、特許文献１に記載の扉用ロックハンドル装置においては、扉に固着されるケースの上部に施錠主軸が回転自在に支持され、この施錠主軸にロック部材が結合している。操作ハンドルの基端部は施錠主軸にハウジングから所定角度引出し回転可能に枢支されると共に、施錠主軸と一体に旋回可能で、ロック部材を固定枠体に係脱可能である。操作ハンドルをハウジング内へほぼ没入状態で錠止する施錠手段として、指紋認証ユニットの認証により操作ハンドルを解錠動作する電磁ロック機構部と、この電磁ロック機構部の動作不良により解錠動作しない非常時に、鍵を使用して手動解錠する錠前機構部とを備える。電磁ロック機構部は、操作ハンドル側に設けた止め金部材に対して進退して、解錠位置と施錠位置との間を摺動可能にケース内に組み込まれた受金部材と、この受金部材を牽引駆動するプランジャーを通電により移動させるソレノイドとを具備する。錠前機構部は、操作ハンドルの端部に設けられ、鍵孔に鍵を挿入して回転操作するロータと、このロータのカム突起に係合して施錠位置の受金部材に対して進退して、解錠位置と施錠位置との間を摺動可能に操作ハンドルに組み込まれた止め金部材とを備える。指紋認証ユニットは、ソレノイドの通電回路に電気的に接続される。指紋認証ユニットは、使用者の指紋データを採取する指紋検出部を備えた指紋入力部と、指紋データをあらかじめ登録する指紋登録部と、採取した検出指紋データを登録指紋データと照合する指紋照合部と、検出指紋データと登録指紋データが一致したときにハンドルロック機構のソレノイドに解錠信号を出力して操作ハンドルの引出し拘束を解除する制御を行うハンドルロック制御部とを備える。指紋認証ユニットは、ケースの下端部に組み込まれる指紋入力部を除いて、機器ボックスから遠隔位置にある制御パネルあるいは別途設けたコントローラに内蔵される。
【先行技術文献】
【特許文献】
【０００３】
【特許文献１】特開２００５−２５６３６７号公報
【発明の概要】
【発明が解決しようとする課題】
【０００４】
上記従来の扉用ロックハンドル装置は、指紋認証ユニットのうち、指紋入力部のみがケースに一体的に組み込まれるが、他の部品は機器ボックスの遠隔位置に分離して別途設けられるため、機器ボックスに収容した機器に対するアクセス制限を行うために、機器ボックスの扉の開閉について認証ユニットを採用するに場合、扉以外のコントローラの設置位置や配線の接続作業等に専門的な知識を要し、機器ボックスへの認証ユニットの導入を妨げる。
そこで本発明は、扉への取り付けのみで認証ユニットも簡単に組み込める扉用ロックハンドル装置を提供することを課題とする。
【課題を解決するための手段】
【０００５】
上記課題を解決するため、閉扉位置において扉Ｄを固定枠体Ｄ１に対してロック・アンロックするラッチ機構を裏面側に備えた扉Ｄの前面側に取り付けられ、ラッチ機構をロック位置と非ロック位置に駆動操作するための扉用ロックハンドル装置において、扉Ｄに固着されるハウジング２と、ラッチ機構に連結して、ラッチ機構をロック位置と非ロック位置に駆動操作する操作ハンドル５と、ハウジング２に対して操作ハンドル５を施解錠する電磁ロック部７とを具備させる。電磁ロック部７は、使用者が携帯するＲＦタグのデータを読み取って、登録したデータと照合し、一致したら認証することにより、ソレノイド１２の通電又は非通電によりプランジャー１２ａを移動させ、ハウジング２に対する操作ハンドル５の施解錠する電磁ロック部７とを具備する。ハウジング２には、電磁ロック部７を一体的に組み込む。
電磁ロック部７は、電磁ロック機構９と認証ユニット１３と具備する。電磁ロック機構９は、認証ユニット１３の認証に基づいて、励磁コイルの通電又は非通電によりプランジャー１２ａが動作するソレノイド１２と、プランジャー１２ａに牽引され、施錠位置と解錠位置との間を移動可能な受け金部材１０と、操作ハンドル５に連結され、受け金部材１０の施錠位置で係合する一方、解錠位置で係合を解除され、ハウジング２に対する操作ハンドル５の拘束を解除する止め金部材１１とを備える。認証ユニット１３は、ＲＦタグのデータを読み取るＲＦタグリーダー１７と、予め登録したデータと照合し、一致したら認証する認証制御部１８とを備える。
操作ハンドル５には、鍵孔２０ａに鍵２１を挿入し、ロータ２０を回転させて、受け金部材１０に対する止め金部材１１の係合を解除する錠前機構部８を備える。
【発明の効果】
【０００６】
本発明に係る扉用ロックハンドル装置は、機器ボックスなどの扉の開放にアクセス許可を有する作業者を判定する認証ユニットをハウジングに一体的に組み込んだため、認証ユニットの設置位置の検討や煩わしい配線の接続作業を省いて、扉への取り付けのみで簡単に認証ユニットを導入することができる。
【図面の簡単な説明】
【０００７】
【図１】本発明に係る扉用ロックハンドル装置の正面図である。
【図２】図１の扉用ロックハンドル装置の側面図である。
【図３】図１の扉用ロックハンドル装置の背面図である。
【図４】図１の扉用ロックハンドル装置の縦断面図である。
【図５】電磁ロック部の解錠状態の扉用ロックハンドル装置の縦断面図である。
【図６】錠前ロック機構部の解錠状態の扉用ロックハンドル装置の縦断面図である。
【発明を実施するための形態】
【０００８】
図１から図４において、扉用ロックハンドル装置１は、扉Ｄに固着されるハウジング２と、この上部背面部に軸周りに回転自在に支持され、後端部にラッチ板４が結合した主軸３と、基端部が主軸３に扉Ｄの前面と平行な枢軸３ａによって連結された操作ハンドル５と、複合ロック機構６とを具備している。
【０００９】
ハウジング２には、主軸３を嵌合させる主軸収容凹部２ａと、操作ハンドル５をほぼハウジング内に没入させると共に、複合ロック機構６を収容するハンドル収容凹部２ｂと、ＲＦタグの認証ユニット１３を装着する認証ユニット収容部３ｃとを具備する。
【００１０】
操作ハンドル５は、枢軸３ａを中心にハウジング２から所定角度まで引出し回転してから、主軸３と共に旋回すると、ロック部材４が固定枠体Ｄ１の受部から離脱し固定枠体Ｄ１に対する扉Ｄの閉鎖状態の拘束が解除される。
【００１１】
複合ロック機構６は、操作ハンドル５がハウジング２に没入した収納状態を施解錠するものである。複合ロック機構６は、電磁ロック部７と、錠前機構部８とを備える。
【００１２】
電磁ロック部７は、ハウジング２のハンドル収容凹部２ｂの背部に組み込まれる電磁ロック機構９と、ハウジング２の認証ユニット収容部２ｃ内に装着される認証ユニット１３とを具備する。電磁ロック機構９は、ハンドル収容凹部２ｂの背部に固定される内側ケース９ａ内の下部に組み込まれる受金部材１０と、操作ハンドル５側に位置する止め金部材１１と、内側ケース９ａの上部に組み込まれるソレノイド１２とを具備する。受金部材１０は、自重又はばねによる下方への付勢により下降した施錠位置と、ソレノイド１２のプランジャー１２ａにより引き上げられた解錠位置との間を、内側ケース９ａの前板内面に沿って摺動可能に保持される。受金部材１０は、解錠位置において操作ハンドル５の引き出し回転と共に移動する止め金部材１１に係合して操作ハンドル５を収納位置に拘束する。ソレノイド１２は、内側ケース９ａに固定され、認証ユニット１３の認証結果に伴う認証信号により励磁コイルが所定時間通電されることによって、プランジャー１２ａを上方に引き上げ可能に支持している。プランジャー１２ａは、受金部材１０に連結してその解錠位置に牽引する。受金部材１０には、内側ケース９ａの背板に自重又はばねにより下方へ付勢されつつ、上下方向に摺動可能に保持される仲介部材１４が前後に対向位置する。仲介部材１４は、受金部材１０及び止め金部材１１の位置関係に応じて、受金部材１０の背面側に係合して支持される一方、止め金部材１１に支持される。仲介部材１４の上部には、その上下位置に応じてオン，オフ動作する検知スイッチ１５が内側ケース９ａの背板に固定される。検知スイッチ１５はマイクロスイッチによって構成され、仲介部材１４の押し上げによりオン動作し、仲介部材１４の下降によりオフ動作し、複合ロック機構６の施解錠動作に応じて認証ユニット１３内のＬＥＤ１９が点灯，消灯動作する。
【００１３】
認証ユニット１３は、ハウジング２の認証ユニット収容部３ｃに固定されるカバー１６内にＲＦタグリーダー１７及び認証制御部１８を備えている。ＲＦタグリーダー１７は、機器ボックスに格納した機器へのアクセス許可を有する作業者が携帯したＲＦタグが接近すると、ＲＦタグのＩＤデータを読み取る。認証制御部１８は、ＲＦタグから読み取ったＩＤデータを予め登録したデータと照合し、合致した場合にソレノイド１２の励磁コイルを所定時間通電する認証信号を発する制御を行う。認証制御部１８にはＬＥＤ１９が前方に向かって立設されており、カバー１６の前面上部の対応位置に透明の表示窓を備えている。ＬＥＤ１９は、認証ユニット１３のＲＦタグに対するＩＤデータの照合結果の一致，不一致に応じて別色で点灯状態を表示する。なお、読み取ったＩＤデータと登録したデータとが不一致の場合には、認証制御部１８は警告音を発する。また、認証ユニット１３には、電源ケーブル、管理用コンピュータに接続可能なデータ管理用ケーブル、扉の開閉を検知するセンサに接続可能な開閉センサ用ケーブルを引き出すことができる。また、認証ユニット１３の背面には、認証制御部１８を初期状態に復帰させるリセットスイッチ２２と、ＲＦタグのデータを追加登録するモードに移行させる登録スイッチ２３とを備える。
【００１４】
錠前機構部８は、操作ハンドル５の先端部に埋込み固着されており、ロータ２０を錠本体に拘束するディスクタンブラ錠が適用される。ロータ２０の後端部には回転中心から偏心した位置にカム突起２０ｂを備える。カム突起２０ｂは、止め金部材１１の横方向に形成された受動孔内に位置し、ロータ２０の回転により受動孔の内側面を押すことによって、止め金部材１１を操作ハンドル５に形成された上下方向のガイド溝に沿って施錠位置と解錠位置との間で受金部材１０に対して進退動させる。
【００１５】
この実施形態に係る扉用ロックハンドル装置１においては、扉Ｄが閉鎖された機器ボックスの固定枠体Ｄ１に対して主軸３に結合するロック部材４が開扉不能に錠止されている状態では、図４に示すように、操作ハンドル５がハウジング２内にほぼ収納されており、施錠位置の止め金部材１１が同じく施錠位置の受金部材１０に係合することによって、操作ハンドル５がハウジング２に対して引出し不能の施錠状態にある。
【００１６】
機器ボックスに格納した機器へのアクセス許可を有する作業者が携帯したＲＦタグが機器ボックスに接近すると、認証ユニット１３によりＲＦタグのＩＤデータを読み取り、登録したデータと照合し、合致すると、図５に示すように、ソレノイド１２を所定時間通電することによってプランジャー１２ａが引き上げられ、受金部材１０が牽引されて止め金部材１１との係合を解除し解錠する。従って、ハウジング２から引出し回転させた操作ハンドル５を主軸３を中心に旋回させると、主軸３に結合するロック部材４が固定枠体Ｄ１から離脱して、固定枠体Ｄ１に対する扉Ｄの錠止が解除されるので、操作ハンドル５を手前に引くことによって扉Ｄを開放できる。なお、操作ハンドル５を引き出してから認証ユニット１３の認証信号による所定時間の通電後、受金部材１０はプランジャー１２ａと共に下降して施錠位置に復帰し、これに連動して仲介部材１４が下降するので、検知スイッチ１５がオフ動作してＬＥＤ１９が消灯して解錠状態を表示する。
【００１７】
作業者が機器の点検修理などを終了し扉Ｄを閉鎖してから、操作ハンドル５をハウジング２内に押し戻すと、止め金部材１１が受金部材１０及び仲介部材１４を押し上げながら受金部材１０を通過し、操作ハンドル５をハウジング２に収納すると、受金部材１０が施錠位置に復帰するので、止め金部材１１を拘束し、施錠する。
【００１８】
アクセス許可を有する作業者がＲＦタグを携帯して機器収容にボックスに接近しても、認証ユニット１３の認証動作のエラー、ソレノイド１２が通電不良、プランジャー１２ａの動作不良などの故障等により、電磁ロック部７による解錠動作が阻害された非常時には、鍵２１を使用して錠前機構部８を手動解錠する。ロータ２０の鍵孔２０ａに鍵２１を挿入し、ロータ２０を所定方向に回転させると、ロータ２０に連動して止め金部材１１がロータ２０側に引き戻され、受金部材１０による止め金部材１１の拘束が解除されるので、図６に示すように、操作ハンドル５をハウジング２から引出し可能にする。止め金部材１１が解錠位置に引き戻されると、仲介部材１９が止め金部材１１による支持を失い検知スイッチ１５から離れることによって、検知スイッチ１５がオフ動作するため、ＬＥＤ１９が消灯して解錠状態を表示する。
【００１９】
手動解錠した扉Ｄの開放後閉鎖してから、操作ハンドル５をハウジング２内に押し戻すと、止め金部材１１がロータ２０側に引き戻された位置に保持されているため、止め金部材１１が受金部材１０及び仲介部材１９に干渉することなく、操作ハンドル３をハウジング２内に戻すことができる。操作ハンドル５をハウジング２に収容した後、鍵２１によって錠前機構部８のロータ２０を反転させると、止め金部材１１がソレノイド１２側に向かって突き出すことによって、仲介部材１９が検知スイッチ１５をオン動作させ、ＬＥＤ１９が点灯して施錠状態を表示する。
【符号の説明】
【００２０】
１    扉用ロックハンドル装置
２    ハウジングと、
３    主軸
４    ラッチ板
５    操作ハンドル
６    複合ロック機構
７    電磁ロック部
８    錠前機構部
９    電磁ロック機構
９ａ  内側ケース
１０    受金部材
１１    止め金部材
１２    ソレノイド
１２ａ  プランジャー
１３    認証ユニット
１４    仲介部材
１５    検知スイッチ
１６    カバー
１７    ＲＦタグリーダー
１８    認証制御部
１９    ＬＥＤ
２０    ロータ
２０ａ  鍵穴
２０ｂ  カム突起
２１    鍵
Ｄ    扉
Ｄ１  固定枠体
【図１】
2017002607.tif 000003
【図２】
2017002607.tif 000004
【図３】
2017002607.tif 000005
【図４】
2017002607.tif 000006
【図５】
2017002607.tif 000007
【図６】
2017002607.tif 000008
【手続補正書】
【提出日】平成28年10月21日(2016.10.21)
【手続補正１】
【補正対象書類名】特許請求の範囲
【補正対象項目名】全文
【補正方法】変更
【補正の内容】
【特許請求の範囲】
【請求項１】
閉扉位置において扉を固定枠体に対してロック・アンロックするラッチ機構を裏面側に備えた扉に取り付けられ、ラッチ機構をロック位置と非ロック位置に駆動操作するためのロックハンドル装置であって、
前記扉に固着されるハウジングと、
前記ラッチ機構に連結して、ラッチ機構をロック位置と非ロック位置に駆動操作する操作ハンドルと、
前記ハウジングに対する操作ハンドルの施錠を解除する電磁ロック部とを具備し、
前記電磁ロック部は、ＲＦタグのデータを読み取るＲＦタグリーダーと、予め登録したデータと照合し、一致したら認証する認証制御部とを備える認証ユニットと、
前記認証制御部の認証に基づいて、認証制御部により励磁コイルの通電又は非通電状態に制御され、プランジャーを変位させる前記ソレノイドと、
前記プランジャーに牽引され、施錠位置と解錠位置との間を移動可能な受け金部材と、
前記操作ハンドルに連結され、前記受け金部材の施錠位置で係合する一方、解錠位置で係合を解除され、前記ハウジングに対する操作ハンドルの拘束を解除する止め金部材とを具備し、
前記ハウジングには、内部に前記操作ハンドルをほぼ没入させると共に、前記ソレノイドと前記受け金部材と前記止め金部材とを収容するハンドル収容凹部と、前記認証ユニットを装着する認証ユニット収容部とを具備し、
前記ハウジングに、前記電磁ロック部が一体に組み込まれることを特徴とする扉用ロックハンドル装置。
【請求項２】
前記操作ハンドルには、鍵孔に鍵を挿入し、ロータを回転させて、前記受け金部材に対する前記止め金部材の係合を解除する錠前機構部を具備することを特徴とする請求項１に記載の扉用ロックハンドル装置。